(57)【要約】      （修正有）【課題】回転刈刃と刈払い対象物以外の物が相互に接触して損傷を与え合うのを防止できる刈払機用接触防止装置を提供する。【解決手段】接触防止装置１は、刈払機２の操作者から見て回転刈刃３の横に配置され、回転鋸刃と刈払い対象物以外の物との間に介在して双方の接触を防止する接触防止カバー４と、一端が接触防止カバー４に固定され、他端が刈払機２の操作杆６に固定されて接触防止カバー４を回転刈刃３の横に配置されるように保持するカバー保持部５とを備える。【選択図】図１
0003205911.tif 000002
【実用新案登録請求の範囲】
【請求項１】
刈払機に取り付けられて該刈払機の回転刈刃と刈払い対象物以外の物との接触を防止する接触防止装置であって、
前記刈払機の操作者から見て前記回転刈刃の横に配置され、該回転刈刃と刈払い対象物以外の物との間に介在して双方の接触を防止する接触防止カバーと、
一端が前記接触防止カバーに固定され、他端が前記刈払機の操作杆に固定されて該接触防止カバーを前記回転刈刃の横に配置されるように保持するカバー保持部とを備えることを特徴とする刈払機用接触防止装置。
【請求項２】
前記接触防止カバーは、前記回転刈刃において、その刃が操作者の手前側から反対側へ移動する側に配置され、
前記接触防止カバーの操作者側端部には、該端部から前記回転刈刃の外周に沿って該回転刈刃の回転方向と逆方向に所定の長さで延在し、該回転刈刃の面に垂直な方向に所定の幅を有する弾性帯状部材が設けられていることを特徴とする請求項１に記載の刈払機用接触防止装置。
【請求項３】
前記カバー保持部は、
一端が前記接触防止カバーに固定された第１部材と、
一端が前記操作杆に固定された第２部材と、
前記第１部材及び前記第２部材の他端部同士を、連結した全長を調整し得るように相互に連結する連結手段と、
前記第２部材の一端部を前記操作杆に対し、固定位置を調整し得るように固定する固定手段とを備えることを特徴とする請求項１又は２に記載の刈払機用接触防止装置。
【請求項４】
前記連結手段は、
前記第１部材の他端部に設けられた雄ねじ部と、
前記第２部材の他端部に設けられて前記雄ねじ部と螺合する雌ねじ部と、
前記雄ねじ部に螺合して前記雌ねじ部に対する前記雄ねじ部の螺合量を調整可能に設定するための固定ナットとを備えることを特徴とする請求項３に記載の刈払機用接触防止装置。
【請求項５】
前記固定手段は、前記第２部材の前記一端に設けられて前記操作杆に固定されるパイプクランプで構成されることを特徴とする請求項３又は４に記載の刈払機用接触防止装置。
【請求項６】
前記接触防止カバーは、前記回転刈刃の側に湾曲したチューブ状の形状を有し、前記操作者から見て該回転刈刃の右側に配置され、かつ該回転刈刃の側に、該回転刈刃の外周縁が通過し得るスリットを有することを特徴とする請求項１〜５のいずれか１項に記載の刈払機用接触防止装置。
【考案の詳細な説明】
【技術分野】
【０００１】
本考案は、刈払機の回転刈刃と刈払い対象物以外の物との接触を防止する刈払機用接触防止装置に関する。
【背景技術】
【０００２】
従来、操作杆の先端に取り付けた回転刈刃を、電動モータやエンジンで回転させ、操作杆により草や小径木などの刈払い対象物に接触させて、刈払い対象物を刈り払う刈払機が知られている（例えば、特許文献１参照）。
【０００３】
このような刈払機においては、回転刈刃により切断された刈払い対象物が、操作者の方に飛散してくるのを防御するための保護カバーが操作杆に取り付けられている。
【先行技術文献】
【特許文献】
【０００４】
【特許文献１】特開２０１３−０３１４１０号公報
【考案の概要】
【考案が解決しようとする課題】
【０００５】
しかしながら、上記従来の刈払機によれば、刈払い対象物が飛散して操作者に当たるのを保護カバーにより防止できるが、回転刈刃と刈払い対象物以外の木や柵などが相互に接触して損傷を与え合うのを防止することができない。
【０００６】
本考案の目的は、かかる従来技術の問題点に鑑み、回転刈刃と刈払い対象物以外の物が相互に接触するのを防止できる刈払機用接触防止装置を提供することにある。
【課題を解決するための手段】
【０００７】
第１考案の刈払機用接触防止装置は、
刈払機に取り付けられて該刈払機の回転刈刃と刈払い対象物以外の物との接触を防止する刈払機用接触防止装置であって、
前記刈払機の操作者から見て前記回転刈刃の横に配置され、該回転刈刃と刈払い対象物以外の物との間に介在して双方の接触を防止する接触防止カバーと、
一端が前記接触防止カバーに固定され、他端が前記刈払機の操作杆に固定されて該接触防止カバーを前記回転刈刃の横に配置されるように保持するカバー保持部とを備えることを特徴とする。
【０００８】
本考案によれば、回転刈刃と刈払い対象物以外の物との間に接触防止カバーが介在するようにしながら刈払機を操作することにより、回転刈刃と刈払い対象物以外の物が相互に接触するのを防止することができる。
【０００９】
第２考案の刈払機用接触防止装置は、第１考案において、
前記接触防止カバーは、前記回転刈刃において、その刃が操作者の手前側から反対側へ移動する側に配置され、
前記接触防止カバーの操作者側端部には、該端部から前記回転刈刃の外周に沿って該回転刈刃の回転方向と逆方向に所定の長さで延在し、該回転刈刃の面に垂直な方向に所定の幅を有する弾性帯状部材が設けられていることを特徴とする。
【００１０】
第２考案によれば、刈払いの対象とされる草等が飛散するのを、弾性帯状部材によって防止することができる。
【００１１】
第３考案の刈払機用接触防止装置は、第１又は第２考案において、
前記カバー保持部は、
一端が前記接触防止カバーに固定された第１部材と、
一端が前記操作杆に固定された第２部材と、
前記第１部材及び前記第２部材の他端部同士を、連結した全長を調整し得るように相互に連結する連結手段と、
前記第２部材の一端部を前記操作杆に対し、固定位置を調整し得るように固定する固定手段とを備えることを特徴とする。
【００１２】
第３考案によれば、刈払機に対する接触防止カバーの位置を、連結手段と固定手段により調整できるので、径が異なる複数の回転刈刃に対応することができる。
【００１３】
第４考案の刈払機用接触防止装置は、第３考案において、
前記連結手段は、
前記第１部材の他端部に設けられた雄ねじ部と、
前記第２部材の他端部に設けられて前記雄ねじ部と螺合する雌ねじ部と、
前記雄ねじ部に螺合して前記雌ねじ部に対する前記雄ねじ部の螺合量を調整可能に設定するための固定ナットとを備えることを特徴とする。
【００１４】
第４考案によれば、第１部材及び第２部材を連結した全長を、第１部材及び第２部材間の軸線周りの角度とともに、正確に調整し、調整結果を固定ナットにより確実に固定することができる。
【００１５】
第５考案の刈払機用接触防止装置は、第３又は第４考案において、前記固定手段は、前記第２部材の前記一端に設けられて前記操作杆に固定されるパイプクランプで構成されることを特徴とする。
【００１６】
第５考案によれば、操作杆における第２部材の一端の固定位置を自在に選択し、該一端を確実に固定することができる。
【００１７】
第６考案の刈払機用接触防止装置は、第１〜第５のいずれかの考案において、前記接触防止カバーは、前記回転刈刃の側に湾曲したチューブ状の形状を有し、前記操作者から見て該回転刈刃の右側に配置され、かつ該回転刃の側に、該回転刈刃の外周縁が通過し得るスリットを有することを特徴とする。
【００１８】
第６考案によれば、回転刈刃の外周縁を適切に囲い込んで保護することができる。
【図面の簡単な説明】
【００１９】
【図１】本考案の一実施形態に係る刈払機用接触防止装置を取り付けた刈払機の斜視図である。
【図２】図１の刈払機用接触防止装置の斜視図である。
【図３】図１の刈払機を別の方向から見た様子を示す斜視図である。
【図４】塀や柵に沿って刈払いを行う場合の丸鋸刃及び接触防止カバーの位置関係を示す図である。
【図５】大木や電柱の回りを刈払いする場合の丸鋸刃及び接触防止カバーの位置関係を示す図である。
【考案を実施するための形態】
【００２０】
以下、図面を用いて本考案の実施形態を説明する。実施形態の刈払機用接触防止装置１は、図１に示すように、刈払機２に取り付けられて刈払機２の回転刈刃と刈払い対象物以外の物との接触を防止する装置である。刈払機用接触防止装置１としては、ここでは回転刈刃として、丸鋸刃３を、図示していない電動モータやガソリンエンジンなどで回転させるものが該当する。
【００２１】
刈払機用接触防止装置１は、刈払機２の丸鋸刃３と刈払い対象物以外の物との間に介在して双方の接触を防止する接触防止カバー４と、接触防止カバー４を保持するカバー保持部５とを備える。刈払い対象物としては、草や小径木が該当する。刈払い対象物以外の物としては、塀や柵などの人工物や、刈ってはならない木や植物などが該当する。
【００２２】
接触防止カバー４は、刈払機２の操作者から見て丸鋸刃３の横に配置される。より具体的には、接触防止カバー４は、丸鋸刃３において、その刃が操作者の手前側から反対側へ移動する側に配置されるのが好ましい。接触防止カバー４がこのような位置に配置されるように、カバー保持部５は、一端が接触防止カバー４に固定され、他端が刈払機２の操作杆６に固定される。
【００２３】
図２に示すように、接触防止カバー４の操作者側端部には、該端部から丸鋸刃３の外周に沿って丸鋸刃３の回転方向と逆方向に所定の長さで延在し、丸鋸刃３の面に垂直な方向に所定の幅を有する弾性帯状部材７が設けられる。弾性帯状部材７は、刈った草などが飛散するのを防止する機能を有する。
【００２４】
図３に示すように、弾性帯状部材７は、丸鋸刃３との隙間が調整し得るように、ねじ８により、接触防止カバー４に取り付けられる。なお、弾性帯状部材７は、接触防止カバー４に溶接して取り付けてもよい。
【００２５】
図１に戻り、カバー保持部５は、一端が接触防止カバー４に固定された第１部材９と、一端が刈払機２の操作杆６に固定された第２部材１０と、第１部材９及び第２部材１０を、これらを連結した場合の全体の長さを調整し得るように相互に連結する連結手段１１と、第２部材１０の他端部を操作杆６に対し、固定位置を調整し得るように固定する固定手段としてのパイプクランプ１２とを備える。
【００２６】
連結手段１１は、第１部材９の他端部に設けられた雄ねじ部１３と、第２部材１０の他端部に設けられて雄ねじ部１３と螺合する雌ねじ部（不図示）と、雌ねじ部に対する雄ねじ部１３の螺合量を調整可能に設定するための固定ナット１４とを備える。パイプクランプ１２は、第２部材１０の一端に設けられて操作杆６に固定される。
【００２７】
接触防止カバー４は、チューブ状の形状を有し、全体的に丸鋸刃３の側に湾曲しており、操作者から見て丸鋸刃３の右側に配置される。また、接触防止カバー４は、丸鋸刃３の側に、丸鋸刃３の外周縁が通過し得るスリット１５を有する。
【００２８】
刈払機用接触防止装置１を刈払機２に取り付ける際には、まず、パイプクランプ１２を刈払機２の操作杆６に緩く取り付けてみて、接触防止カバー４が丸鋸刃３に対して正しい位置に位置するかどうかを確認する。
【００２９】
ここで、正しい位置とは、丸鋸刃３において、その刃が操作者の手前側から反対側へ移動する側、すなわち本実施形態の場合、操作者から見て丸鋸刃３の右側であることや、丸鋸刃３の外周縁が接触防止カバー４のスリット１５を支障なく通過すること、などを満たすような位置である。
【００３０】
正しい位置でない場合には、固定ナット１４を緩めて雌ねじ部に対する雄ねじ部１３の螺合量を調整して再設定し、操作杆６上のパイプクランプ１２の固定位置を調整する。このとき、螺合量の調整により、第２部材１０に対する第１部材９の中心軸線周りの角度も調整することができる。
【００３１】
接触防止カバー４が正しい位置に配置されたことを確認した場合には、パイプクランプ１２を、その蝶ねじ１６によりしっかり固定し、固定ナット１４により雄ねじ部１３の螺合量を確実に固定する。なお、丸鋸刃３を径の異なるもの、例えば２３０［ｍｍ］の丸鋸刃３と２５５［ｍｍ］の丸鋸刃３との間で交換を行った場合には、このような調整が必ず必要となる。
【００３２】
次に、弾性帯状部材７の下端縁と丸鋸刃３の上面との間の隙間が、刈払いの対象となる草の長さや量に応じて、例えば５〜８［ｍｍ］程度であることを確認する。隙間がこのような範囲に無い場合には、このような範囲を満たすように、上述のねじ８で調整する。これにより、刈払機２に対する刈払機用接触防止装置１の取付けが完了する。なお、このような隙間の調整は、弾性帯状部材７を塑性変形し得る部材で構成し、操作者が手で弾性帯状部材７を曲げることにより行うことができるようにしてもよい。
【００３３】
図４は、塀や柵１７に沿って刈払いを行う場合の丸鋸刃３及び接触防止カバー４の位置関係を示す。図４のように、塀や柵１７と丸鋸刃３との間に接触防止カバー４が介在するように、矢印方向に塀や柵１７に沿って刈払機２を進めながら刈払いが行われる。
【００３４】
図５は、大木や電柱１８の回りを刈払いする場合の丸鋸刃３及び接触防止カバー４の位置関係を示す。図５のように、大木や電柱１８と丸鋸刃３との間に接触防止カバー４が介在するように、大木や電柱１８の回りを矢印方向に旋回するように刈払機２を進めながら刈払いが行われる。
【００３５】
以上のように、本実施形態によれば、丸鋸刃３と刈払い対象物以外の物との間に接触防止カバー４が介在するようにしながら刈払機２を操作することにより、丸鋸刃３と刈払い対象物以外の物とが相互に接触するのを防止することができる。したがって、丸鋸刃３によって柵や木を損傷したり、丸鋸刃３が電柱やコンクリート塀に接触して損傷したりするのを防止することができる。
【００３６】
また、接触防止カバー４に、後方に延びた弾性帯状部材７を設けたので、刈り払われる草等が飛散するのを防止することができる。
【００３７】
また、刈払機２に対する接触防止カバー４の位置を、連結手段１１とパイプクランプ１２により調整できるので、径が異なる複数の丸鋸刃３に対応することができる。
【００３８】
また、連結手段１１を第１部材９の雄ねじ部１３、第２部材１０の雌ねじ部、及び固定ナット１４で構成したので、第１部材９及び第２部材１０を連結した全長を、第１部材９及び第２部材１０間の軸線周りの角度とともに、正確に調整し、調整結果を固定ナット１４で確実に固定することができる。
【００３９】
また、第２部材の一端を操作杆６に固定する固定手段を、パイプクランプ１２で構成したので、操作杆６における第２部材１０の一端の固定位置を自在に選択し、該一端を確実に固定することができる。
【００４０】
また、接触防止カバー４は、湾曲したチューブ状の形状を有して丸鋸刃３の側に湾曲しており、丸鋸刃３の側に、丸鋸刃３の外周縁が通過し得るスリットを有するので、丸鋸刃３の外周縁を適切に囲い込んで保護することができる。
【００４１】
以上、本考案の実施形態について説明したが、本考案はこれに限定されない。例えば、回転刈刃は、多数の刃を有する丸鋸刃３に限らず、２枚刃や４枚刃を有するものであってもよい。
【００４２】
また、連結手段１１や固定手段としては、調整可能で確実に連結や固定を行うものであれば、他の形式のものを用いてもよい。接触防止カバー４は、適切に丸鋸刃３と刈払い対象物以外の物との間に介在し得るものであれば、横断面がＵ字型のものなどの他の形状を有するものを採用してもよい。
【符号の説明】
【００４３】
１…刈払機用接触防止装置、２…刈払機、３…丸鋸刃（回転刈刃）、４…接触防止カバー、５…カバー保持部、６…操作杆、７…弾性帯状部材、８…ねじ、９…第１部材、１０…第２部材、１１…連結手段、１２…パイプクランプ（固定手段）、１３…雄ねじ部、１４…固定ナット、１５…スリット、１６…蝶ねじ、１７…塀や柵、１８…大木や電柱。
【図１】
0003205911.tif 000003
【図２】
0003205911.tif 000004
【図３】
0003205911.tif 000005
【図４】
0003205911.tif 000006
【図５】
0003205911.tif 000007